(57)【要約】  【課題】本発明は、自動車内等に設置されてカラオケ演奏に伴うボーカルガイドの歌詞音声を出力する車載用カラオケシステムに関し、カラオケ利用者に特別な操作や体勢を要求せずに、自動的に所望の搭乗者にのみ演奏及び歌詞音声を聴取可能とすることを目的とする。  【解決手段】メインスピーカ１５の他に、座席ＩＤが関連付けられた各座席に対応してそれぞれ指向性スピーカ１５−Ｎが配置され、また、選曲楽曲に当該座席ＩＤが関連付けられるものであり、楽曲ＤＢ２５には楽曲毎に、少なくとも演奏データ及び当該演奏データに同期した歌詞音声データが記憶され、出力調整切替部３７が選曲楽曲に関連付けられた座席ＩＤより歌詞音声の出力先を対応した指向性スピーカ（１５−２Ａ）に切り替え、歌詞音声出力部３３からの演奏楽曲に同期した歌詞音声を出力させる構成とする。  【選択図】    図１
2008216398.tif 000002
【特許請求の範囲】
【請求項１】
利用者が選曲したカラオケ楽曲の演奏データに基づきカラオケ演奏を行うもので、演奏に際して歌詞音声信号を出力させる機能を備える車載用カラオケシステムであって、
演奏信号及び歌唱音声信号を出力するメインスピーカの他に、各座席に対応して指向性スピーカが配置され、また、当該座席毎に座席ＩＤが関連付けられて選曲楽曲に当該座席ＩＤが関連付けられるものであり、
楽曲データ記憶部、出力調整切替部及び歌詞音声出力部を少なくとも有し、
前記楽曲データ記憶部は、楽曲毎に、少なくとも演奏データ及び当該演奏データに同期した歌詞音声データを記憶し、
前記出力調整切替部は、前記選曲楽曲に関連付けられた座席ＩＤから対応する指向性スピーカを特定して切り替え、
前記歌詞音声出力部は、演奏対象の楽曲の前記歌詞音声データに基づく歌詞音声を前記演奏楽曲に同期させて前記切り替えられた指向性スピーカより出力させる、
ことを特徴とする車載用カラオケシステム。
【請求項２】
請求項１記載の車載用カラオケシステムであって、さらに予約管理手段を備え、選曲された楽曲に、選曲者の選択による歌詞音声出力の有無を関連付け、歌詞音声出力の場合に歌唱者の座席ＩＤを関連付けて登録管理することを特徴とする車載用カラオケシステム。
【発明の詳細な説明】
【技術分野】
【０００１】
本発明は、自動車内等に設置されてカラオケ演奏に伴うボーカルガイドの歌詞音声を出力する車載用カラオケシステムに関する。
【背景技術】
【０００２】
近年、カラオケシステムは、カラオケ利用者に様々な歌唱アシスト情報を提供し、利用者の歌唱をボーカルガイドによりアシストするカラオケシステムも想到されている。このようなカラオケシステムの車載用の利用において、ボーカルガイドとなる歌詞音声の出力を少なくとも歌唱者のみに聴別可能であることが望まれる。
【０００３】
従来、利用者が歌い慣れていない曲や歌唱が非常に難しい曲を歌う際、利用者が伴奏音楽について行けない時にガイドボーカル音声を流すようにしたカラオケ演奏装置が登場している。このようなガイドボーカル機能では、通常、歌唱アシスト情報は空気振動で音を伝達する通常のメインスピーカ（音圧式スピーカ）から発せられるため、他者にも歌唱アシスト情報が聞こえることとなることから、他者に歌唱アシスト情報を聞かれてしまうことを歌唱者が好まないこともあると共に、歌唱アシスト情報と歌唱音声とが混同し、歌唱アシスト情報と歌唱音声とが紛らわしく聞こえてしまうこととなって好ましくない。
【０００４】
ところで、カラオケ演奏装置のガイドボーカルやナビゲーションシステム音声ガイドの出力、あるいは聴別をエリア毎に制御することが、以下の特許文献等で知られている。
【０００５】
【特許文献１】特開２００５−２４２０５７号公報
【特許文献２】特開２００５−２１７８０７号公報
【特許文献３】特開２００５−２４１２７１号公報
【０００６】
上記特許文献１には、人の骨を介して音楽や楽音を伝達する技術である骨伝導技術を車載用のカラオケシステムに採用し、歌唱アシスト情報をカラオケ演奏に伴って所定の条件で出力し、出力された歌唱アシスト情報を利用者に伝達するための骨伝導手段を附帯させ、当該骨伝導手段を利用者が着座するシート内に組み込むことが開示されている。
【０００７】
また、上記特許文献２には、複数個の座席を有し、各座席に登場する搭乗者にスピーカから出力される音声を聞かせるための車載用スピーカシステムに関して、それぞれのスピーカに指向性スピーカを用い、当該指向性スピーカを各座席に異なる音場を形成させて座席毎に独立の音声を再生するように配置させることが開示されている。
【０００８】
また、上記特許文献３には、音声ガイド付カーナビゲーションシステムに関し、運転者の近傍に音声ガイドを出力する指向性スピーカを配置すると共に、運転者の両耳近傍の位置に運転者専用スピーカと集音マイクを配置して、指向性スピーカより音声ガイドが出力されているときに集音マイクで周辺のオーディオ信号を集音し、当該オーディオ信号と逆送成分の信号を運転者専用スピーカより出力することにより、運転者のみに音声ガイドのみを聞こえる構成とすることが開示されている。
【発明の開示】
【発明が解決しようとする課題】
【０００９】
しかしながら、上記特許文献１のものは、骨伝導手段の骨伝導スピーカが着座シートのヘッドレスト部に組み込まれ、当該ヘッドレスト部に利用者の頭部が接触しているときに当該骨伝導スピーカが機能されるものであり、当該骨伝導スピーカの機能が果たされるためには常に頭部を接触状態としなければならない。また、上記特許文献２のものは、座席毎の指向性スピーカを独立で音声再生させるためには座席毎のリモコンにより分配機を制御させるものであることから、座席毎の着座者がそれぞれリモコン制御する必要があって煩雑であるという問題がある。
【００１０】
さらに、上記特許文献３のものは、基本的には音声ガイドのみを運転者のみに聞こえるようにしたものであり、オーディオ信号及び音声ガイド信号の何れかの音源を、運転者及び同乗者の何れかに聞かせるために他方を打ち消すものであることから、例えばカラオケにおける演奏とガイドボーカルの両方を同時に聞かせる必要性があるときには適用できないという問題がある。
【００１１】
そこで、本発明は上記課題に鑑みなされたもので、カラオケ利用者に特別な操作や体勢を要求せずに、自動的に所望の搭乗者にのみ歌詞音声を聴取可能とする車載用カラオケシステムを提供することを目的とする。
【課題を解決するための手段】
【００１２】
上記課題を解決するために、請求項１の発明では、利用者が選曲したカラオケ楽曲の演奏データに基づきカラオケ演奏を行うもので、演奏に際して歌詞音声信号を出力させる機能を備える車載用カラオケシステムであって、演奏信号及び歌唱音声信号を出力するメインスピーカの他に、各座席に対応して指向性スピーカが配置され、また、当該座席毎に座席ＩＤが関連付けられて選曲楽曲に当該座席ＩＤが関連付けられるものであり、楽曲データ記憶部、出力調整切替部及び歌詞音声出力部を少なくとも有し、前記楽曲データ記憶部は、楽曲毎に、少なくとも演奏データ及び当該演奏データに同期した歌詞音声データを記憶し、前記出力調整切替部は、前記選曲楽曲に関連付けられた座席ＩＤから対応する指向性スピーカを特定して切り替え、前記歌詞音声出力部は、演奏対象の楽曲の前記歌詞音声データに基づく歌詞音声を前記演奏楽曲に同期させて前記切り替えられた指向性スピーカより出力させる、構成とする。
【００１３】
請求項２の発明では、さらに予約管理手段を備え、選曲された楽曲に、選曲者の選択による歌詞音声出力の有無を関連付け、歌詞音声出力の場合に歌唱者の座席ＩＤを関連付けて登録管理する構成である。
【発明の効果】
【００１４】
本発明によれば、メインスピーカの他に、座席ＩＤが関連付けられた各座席に対応してそれぞれ指向性スピーカが配置され、また、選曲楽曲に当該座席ＩＤが関連付けられるものであり、楽曲データ記憶部には楽曲毎に、少なくとも演奏データ及び当該演奏データに同期した歌詞音声データが記憶され、演奏楽曲に同期した歌詞音声の出力先を、選曲楽曲に関連付けられた座席ＩＤに対応した指向性スピーカに切り替えさせて出力させる構成とすることにより、カラオケ利用者に特別な操作や体勢を要求せずに、自動的に所望の搭乗者にのみ歌詞音声を聴取可能とすることができるものである。
【発明を実施するための最良の形態】
【００１５】
以下、本発明の最良の実施形態を図により説明する。
図１に、本発明に係る車載用カラオケシステムのブロック構成図を示す。図１において、車載用カラオケシステム１１は、利用者が選曲したカラオケ楽曲の演奏データに基づきカラオケ演奏を行うもので、演奏に際して歌詞音声を出力させる機能を備えるものとして、カラオケ本体１２と、当該カラオケ本体１２に接続される表示部１３、マイク１４、メインスピーカ１５、指向性スピーカ１５−１Ａ，１５−１Ｂ，１５−２Ａ，１５−２Ｂ及びリモコン装置１６が接続される。
【００１６】
ここで、上記表示部１３は、楽曲選曲表示やカラオケ演奏時の映像、歌詞テロップを表示するもので、後述の操作パネル３５と連動するユーザインタフェース機能を備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１７】
上記メインスピーカ１５は、演奏信号及び有線式若しくは無線式（ハンドフリー方式を含む）のマイク１４から入力される歌唱音声信号が出力される。図では無線式のマイク１４が用いられるものとしている。上記指向性スピーカ１５−１Ａ，１５−１Ｂ，１５−２Ａ，１５−２Ｂは、ガイドボーカル出力専用のもので、座席ＩＤが関連付けられた座席に対応して配置される（図２で説明する）。上記リモコン装置１６は、その構成は公知のもので十分であり、専ら歌唱楽曲を選曲や、歌唱中のキー設定、エコー設定等を行うためのものである。
【００１８】
上記カラオケ本体１２は、バス２１、中央制御部２２、ＲＯＭ２３、ＲＡＭ２４、楽曲データ記憶部である楽曲ＤＢ（楽曲データベース）２５、楽曲検索手段２７、予約管理手段２８、音楽曲出力部２９、再生制御部３０、操作入力ＩＦ（インタフェース）３１、歌詞音声出力部３３、ミキシングアンプ３４、操作パネル３５、受信部３６、出力調整切替部３７及びアンプ３８を適宜備える。
【００１９】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすもので、例えば半導体メモリで構成され、仮想的にハードディスク上に構築される場合をも含む概念である。
【００２０】
上記楽曲ＤＢ２５は、楽曲コードで管理される所定数の楽曲データファイルを記憶しておくデータベースであり、詳細は図３で説明する。上記楽曲選択手段２７は、上記表示部１３（操作パネル３５）からの入力やリモコン装置１６からの入力によって利用者に楽曲を検索させて選曲するためのプログラムであり、ＲＡＭ２４に展開されて実行される。上記予約管理手段２８は、利用者がリモコン装置１６（又は操作パネル３５（表示部１３））を用いて選曲した楽曲を予約管理するものであって、選曲された楽曲に、選曲者の選択による歌詞音声出力の有無を関連付け、歌詞音声出力の場合に歌唱者の座席ＩＤを関連付けて選択された楽曲コード及び楽曲名をＲＡＭ２４に形成されるメモリ領域の予約待ち行列に記憶して管理するプログラムであり、ＲＡＭ２４に展開されて実行される。
【００２１】
上記音楽曲出力部２９は、楽曲コードで楽曲ＤＢ２５より抽出された演奏データをデジタル再生し、アナログ変換してミキシングアンプ３４に出力する電子回路である。当該ミキシングアンプ３４は、マイク１４より入力した歌唱者の歌唱音声信号と、当該音楽曲出力部２９より送られてくる演奏信号をミキシングし、増幅してメインスピーカ１５より出力させるものである。
【００２２】
上記再生制御部３０は、演奏時に、楽曲ＤＢ２５より抽出された楽曲データのうちの背景映像データ及び歌詞テロップデータ（歌詞文字データ）を当該楽曲の演奏データに同期させて表示部１３に出力する電子回路である。上記操作入力ＩＦ３１は、操作パネル３５及びリモコン装置１６からの送信信号を受信する受信部３６からの入力信号に対して整合性をとるためのプログラムないし電子回路である。当該操作パネル３５は、上記表示部１３のユーザインタフェース機能と連動して、エコーや左右バランス、メインスピーカ１５からの出力音量のボリウムの他、歌唱楽曲を選曲する操作ボタン等を含んだものである。
【００２３】
上記歌詞音声出力部３３は、選曲楽曲に対応した歌詞音声データをデコードした歌詞音声信号を演奏データに同期させてアンプ３８に送出するプログラムないし電子回路である。ここで、同期とは、完全同期はもちろん、所定のタイムラグを含む概念である。
【００２４】
上記出力調整切替部３７は、予約管理手段２８が形成したＲＡＭ２４のメモリ領域の予約待ち楽曲を参照して選曲楽曲に関連付けられた座席ＩＤから対応する指向性スピーカを例えばテーブル等で特定し、歌詞音声の出力先をアンプ３８に対して該当の指向性スピーカに切り替えるプログラムであり、ＲＡＭ２４に展開されて実行される。当該アンプ３８は、各第１指向性スピーカ１５−１Ａ〜第４指向性スピーカ１５−２Ｂのそれぞれに対して独立して対応の出力端子を備え、出力調整切替部３７からの切替制御信号により何れかの指向性スピーカに切り替えられる。
【００２５】
ここで、図２に、図１における車載用カラオケシステムの車内配置の説明図を示す。図２（Ａ）において、例えば乗用車４１には４つの座席があるものとして、ハンドル４２のある位置が運転者の座席となる。各座席には座席ＩＤ（１Ａ，１Ｂ，２Ａ，２Ｂ）が関連付けられている。この乗用車４１の前方に、例えばカラオケ演奏装置１２が設けられ、その近傍に表示部１３が配置される。また、前方（後方又は前方と後方）にメインスピーカ１５が配置される。さらに、車内には、無線式（ハンドフリー方式を含む）のマイク１４とリモコン装置１６が持ち運び自在に置かれる。
【００２６】
そして、各座席に対応したものであって、側面側に指向性スピーカ１５−１Ａ，１５−１Ｂ，１５−２Ａ，１５−２Ｂが設けられている。すなわち、各指向性スピーカ１５−１Ａ，１５−１Ｂ，１５−２Ａ，１５−２Ｂは、各座席ＩＤと対応付けられることになる。なお、これら指向性スピーカ１５−１Ａ，１５−１Ｂ，１５−２Ａ，１５−２Ｂを各座席の上方（天井）に配置してもよく、また座席のヘッドレストに埋め込んでもよい。すなわち、各搭乗者それぞれのみに歌詞音声が聞こえる配置とされるものである。
【００２７】
例えば、図２（Ｂ）に示すように、メインスピーカ１５より演奏信号が出力され、第３指向性スピーカ１５−２Ａより歌詞音声信号を出力させた場合、演奏及び歌唱音声は搭乗者全員に聴取され、後部右座席（座席ＩＤ（２Ａ））に着座した歌唱者に対してのみ歌詞音声が聴取可能となるものである。
【００２８】
また、図３に、図１の楽曲ＤＢに記憶されている楽曲データファイルの説明図を示す。図３において、楽曲ＤＢ２５に記憶されている各楽曲の楽曲データファイルは、トラック１〜３に同期された演奏データ、歌詞音声データ及び背景映像データで構成される。演奏データは、例えばＭＩＤＩ（登録商標）データやＭＰ３データのもので、音楽曲出力部２９でデコードされてメインスピーカ１５より出力される。
【００２９】
また、歌詞音声データは、演奏データに同期して歌唱される上記演奏データと同形式の音声データであり、歌詞音声出力部３３でデコードされて所定の指向性スピーカ１５−Ｎより出力される。そして、背景映像データは、映像データと歌詞テロップデータより構成されるもので、当該映像データは例えばＭＰＥＧデータであり、当該歌詞テロップデータは演奏データに同期された楽曲の歌詞文字データである。
【００３０】
続いて、図４に、図１の楽曲予約表示画面の説明図を示す。図４（Ａ）は、表示部１３上に表示された場合を示しており、所定の搭乗者（ここでは、後部右座席（２列目）のＡ番の搭乗者とする）が例えばリモコン装置１６を用いて楽曲検索手段２７の機能により所定の楽曲を検索し、又は他の同乗者に検索させて歌唱楽曲が選曲される際、例えば歌手名、曲名等で表示されると共に、当該画面において、座席ＩＤ（ここでは、２Ａ）を指定し、ガイドボーカル（歌詞音声）の出力の有無が選択される。図では、ガイドボーカルの出力をオン状態として示している。当該選曲された楽曲は、予約管理手段２８がＲＡＭ２４に形成した予約待ち行列のメモリ領域に、図４（Ｂ）に示すように、当該予約される曲名、楽曲コードに歌詞音声（ガイドボーカル）出力の状態（ここではオン状態）及び座席ＩＤを関連付けて登録管理するものである。
【００３１】
そこで、図５に、本発明における歌詞音声出力のフローチャートを示す。図５（Ａ）において、選択楽曲が演奏される際、中央制御部２２が予約管理手段２８の予約待ち行列より演奏対象の楽曲を特定する（ステップ（Ｓ１））。特定された楽曲に、付随情報として歌詞音声（ガイドボーカル）出力の情報が含まれていれば（Ｓ２）、当該中央制御部２２は、演奏対象の楽曲のデータファイルを楽曲ＤＢ２５より抽出し、トラック１の演奏データを音楽曲出力部２９に送出すると共に、トラック３の背景映像データを再生制御部３０に送出し、また、トラック２の歌詞音声データを歌詞音声出力部３３に送出する（Ｓ３）。
【００３２】
一方、特定された楽曲に、付随情報として歌詞音声（ガイドボーカル）出力の情報が含まれていない場合には（Ｓ２）、演奏対象の楽曲のデータファイルを楽曲ＤＢ２５より抽出し、トラック１の演奏データを音楽曲出力部２９に送出すると共に、トラック３の背景映像データを再生制御部３０に送出する（Ｓ４）。
【００３３】
続いて、図５（Ｂ）において、歌詞音声出力部３３では、歌詞音声出力部が歌詞音声データをデコードした歌詞音声信号をアンプ３８に送出する（Ｓ１１）。また、出力調整切替部３７が演奏対象の予約待ち行列に基づいて、関連付けられた座席ＩＤ（２Ａ）から、歌詞音声信号を出力させる第３指向性スピーカ１５−２Ａを特定し、アンプ３８に対して出力先を当該第３指向性スピーカに切り替える（Ｓ１２）。そして、アンプ３８より歌詞音声出力部３３からの歌詞音声信号を増幅して、出力調整切替部３７により切り替えられた第３指向性スピーカ１５−２Ａに出力されるものである（Ｓ１３）。
【００３４】
このように、カラオケ利用者（各搭乗者）に特別な操作や体勢を要求せずに、自動的に所望の搭乗者にのみ歌詞音声を聴取可能とすることができるものである。
【産業上の利用可能性】
【００３５】
本発明の車載用カラオケシステムは、自家用車や商用車（トラック、バスなど）の自動車、列車、飛行機、船舶内で設置されるカラオケシステムに利用可能である。
【図面の簡単な説明】
【００３６】
【図１】本発明に係る車載用カラオケシステムのブロック構成図である。
【図２】図１における車載用カラオケシステムの車内配置の説明図である。
【図３】図１の楽曲ＤＢに記憶されている楽曲データファイルの説明図である。
【図４】図１の楽曲予約表示画面の説明図である。
【図５】本発明における歌詞音声出力のフローチャートである。
【００３７】
１１            車載用カラオケシステム
１２            カラオケ演奏装置
１３            表示部
１５            メインスピーカ
１５−Ｎ        指向性スピーカ
２５            楽曲ＤＢ
２８            予約管理手段
３３            歌詞音声出力部
３７            出力調整切替部
４１            乗用車
【図１】
2008216398.tif 000003
【図２】
2008216398.tif 000004
【図３】
2008216398.tif 000005
【図４】
2008216398.tif 000006
【図５】
2008216398.tif 000007